(57)【要約】【課題】オートフォーカスの微調整を行う際に、ピントが前にずれているのか、後ろにずれているのかを容易に判断できるようにすることを課題とする。【解決手段】オートフォーカス微調整補助具として、細長いシート又は板体からなり、表面に長手方向に等間隔に図形が表示されたベース部と、前記ベース部の長手方向に直交する前記ベース部表面上の線分に平行かつ前記ベース部表面に対して９０度以上１８０度未満の角度を表面が向くように前記ベース部の中央近傍に立設される板体であって、表面に図形が表示されたターゲット板とより構成する。【選択図】  図１
2015108849.tif 000002
【特許請求の範囲】
【請求項１】
細長いシート又は板体からなり、表面に長手方向に等間隔に図形が表示されたベース部と、
前記ベース部の長手方向に直交する前記ベース部表面上の線分に平行かつ前記ベース部表面に対して９０度以上１８０度未満の角度を表面が向くように前記ベース部の中央近傍に立設される板体であって、表面に図形が表示されたターゲット板と
を有するオートフォーカス微調整補助具。
【請求項２】
前記ベース部に等間隔をおいて表示される各図形は、前記ベース部の長手方向に直交する方向に並ぶ図形郡からなるものである請求項１に記載のオートフォーカス微調整補助具。
【発明の詳細な説明】
【技術分野】
【０００１】
本発明はオートフォーカス機能を有する一眼レフカメラにおいて、オートフォーカスの微調整を行う際の基準となる器具に関する。
【背景技術】
【０００２】
近年、一般的な一眼レフカメラにはオートフォーカス機能が標準装備されている。オートフォーカスは多くの場合、メーカー純正のレンズを基準に設定されているために、他社製品のレンズを交換した場合に、オートフォーカスが微妙にずれることがある。このため、オートフォーカス機能を有するほとんどの一眼レフカメラには、オートフォーカス微調整機能が設けられている。
多くの場合、デジタルカメラのオートフォーカスの微調整は、カメラと平行に立った人の全身を撮影し、撮影した画像をモニターで拡大して確認しながら、ピントの前後位置を変化させ最適な位置に合わせるということが行われる。
【発明の概要】
【発明が解決しようとする課題】
【０００３】
しかしながら、このような方法だとピントが合っていない場合、ピントが前にずれているのか、後ろにずれているのかがわからないので、勘でいずれかの方向にピントを微調整しなければならない。このため、微調整のために何度も撮影をして確認しなければならず手間と時間を要することとなっていた。
本発明は、このような問題に鑑み、オートフォーカスの微調整を行う際に、ピントが前にずれているのか、後ろにずれているのかを容易に判断できるようにすることを課題とする。
【課題を解決するための手段】
【０００４】
上記課題を解決するために、本発明は次のような構成を有する。
請求項１に記載の発明は、細長いシート又は板体からなり、表面に長手方向に等間隔に図形が表示されたベース部と、前記ベース部の長手方向に直交する前記ベース部表面上の線分に平行かつ前記ベース部表面に対して９０度以上１８０度未満の角度を表面が向くように前記ベース部の中央近傍に立設される板体であって、表面に図形が表示されたターゲット板とを有するオートフォーカス微調整補助具である。なお、図形には文字が含まれる。
請求項２に記載の発明は、前記オートフォーカス微調整補助具において、前記ベース部に等間隔をおいて表示される各図形は、前記ベース部の長手方向に直交する方向に並ぶ図形郡からなるものである。
【発明の効果】
【０００５】
請求項１に記載の発明は、調整するカメラを用いて、一定距離は離れた斜め上方からオートフォーカス機能によりターゲット板表面に表示された図形にピントを合わせる。斜め上方からピントを合わせることでベース部表面に表示された図形もファインダーに収まる。ここでターゲット板表面の図形に対するピントがずれている場合、前後に並ぶベース部表面に表示されたいずれかの図形にピントが合うので、ピントがあった図形がターゲット板の前か後ろかを確認することによりピントが前にずれているのか後ろにずれているのかを知ることができる。従って、前にずれていればオートフォーカスのピントを後ろ側に移動するように微調整し、後ろにずれていればオートフォーカスのピントを前側に移動するように微調整すればよいので調整作業を迅速に行うことができ、さらに、ピントが合っている図形とターゲット板との距離からおおよそどの程度ずれているのかを判断することもできる。
請求項２に記載の発明は、ベース部表面に並ぶ図形を長手方向に直交する方向に配列された複数の図形郡とすることで、ピントが合っている図形が横に長く存在することでピントが合っている図形を探しやすい。
【図面の簡単な説明】
【０００６】
【図１】実施形態に係るオートフォーカス微調整補助具の斜視図である。
【図２】実施形態に係るオートフォーカス微調整補助具の使用状態を示す正面図である。
【発明を実施するための形態】
【０００７】
以下、本発明の実施の形態について、図面を参照しながら説明する。
図１に本実施形態に係るオートフォーカス微調整補助具Ｘの斜視図を示す。オートフォーカス微調整補助具Ｘはベース部１０、ターゲット板２０により構成される。
ベース部１０は全長１ｍ程度の細長い長方形状の板体又はシート体から構成され、表面に図形１１が表示されている。図形１１は、ベース部１０の長手方向に直交する方向に並ぶ複数の丸からなる図形郡を一組として、各組の図形郡がベース部１０の長手方向に等間隔で並ぶように配置されている。
ターゲット板２０は板本体２１、脚２２から構成される。脚２２は下端がベース部１０表面の中央位置に固定されるブロック体と棒体からなる。板本体２１は脚２２の上端に固定される丸い板体で、表面中央位置に十字を丸で囲った図形２０ａが表示されている。板本体２１はベース部１０の長手方向に沿った直線に直交するように設けられる。
【０００８】
次に、以上のような構成を有するオートフォーカス微調整補助具Ｘの使用方法について説明する。使用者は図２に示すように、オートフォーカス微調整補助具Ｘをテーブルや地面等の平らな場所において、斜め上方から微調整を行うカメラＣを用いてターゲット板２０の図形２０ａにオートフォーカス機能によりピントを合わせてみる。ここでピントが図形２０ａに合っていれば微調整は必要ない。ピントが図形２０ａに合っていない場合は、ベース部１０表面に表示された図形１１のいずれの図形郡にピントが合っているかを探す。ピントが合っている図形郡が見つかったら、その図形郡がターゲット板２０より前か後ろか、また、どの程度ターゲット板２０から離れているかを確認し、これに基づいてカメラＣのオートフォーカス微調整機能を用いて、オートフォーカスの焦点を前又は後に移動させて、ターゲット板２０の図形２０ａにピントが合うように調整を行う。ターゲット板２０にピントが合えば調整作業は完了する。
このように、本実施形態に係るオートフォーカス微調整補助具Ｘを用いると、オートフォーカスの焦点が前にずれているのか後ろにずれているのかを一目で判断でき、どの程度ずれているかもわかるので、オートフォーカスの微調整を簡易かつ迅速に行うことができる。
【０００９】
なお、上記実施形態では、ターゲット板２０の板本体２１はベース部１０の表面に対して直角に設けられているが、斜め上方から撮影するカメラに合わせてある程度の角度を設けてもよい。また、ベース部１０は柔らかい素材で形成するとともに、ターゲット板２０を着脱できるようにして、丸めて収納できるようにしてもよい。
【符号の説明】
【００１０】
Ｘ  オートフォーカス微調整補助具
１０  ベース部
１１  図形（ベース部）
２０  ターゲット板
２１  板本体
２０ａ  図形（ターゲット板）
【図１】
2015108849.tif 000003
【図２】
2015108849.tif 000004